(57)【特許請求の範囲】
【請求項１】
少なくとも一方向に曲率を有し、この曲率を有する方向に沿って細長い帯状に形成された取付面と、この取付面に等間隔で形成された複数個の取付穴とを備えた取付曲面体と；前記取付面の取付穴に差し込まれた剛性を有する一対の長尺状の給電端子を有し、各発光部分が前記取付面の曲率面上に等間隔で配置されている複数個のＬＥＤと；前記取付面に対向する細長い帯状に形成されて前記取付曲面体に連結され、前記ＬＥＤへ電力を供給するための基板と；この基板に形成され、前記ＬＥＤに設けられている前記一対の給電端子が前記基板の長手方向に直交する方向に並列して差し込まれる複数個の端子ランドと；を具備している光源ユニットと；
前記取付曲面体の前記取付面がある曲率面上に位置する向きに配列させて複数個の前記光源ユニットを前記取付曲面体の長手方向と直交する方向に配列して収納する本体ケースと；
前記本体ケースに形成され、前記ＬＥＤから放射された光が照明範囲に向けて進行することを許容する照明用開口と；
を具備するフラッドライト。
【請求項２】
前記取付面は凸面状に形成され、複数個の前記ＬＥＤから放射された光が、単一の光源から放射された光と同じように拡散される向きに前記ＬＥＤが配置されている請求項１記載のフラッドライト。
【請求項３】
前記取付面は凹面状に形成され、複数個の前記ＬＥＤから放射された光が一点で交叉した後に拡散される向きに前記ＬＥＤが配置されている請求項１記載のフラッドライト。
【請求項４】
前記基板と前記取付曲面体とが、これらの基板と取付曲面体との間隔を一定に維持するスペーサを間に挟んで連結されている請求項１ないし３のいずれか一記載のフラッドライト。
【請求項５】
隣り合って配列された前記光源ユニットに設けられている前記ＬＥＤが千鳥格子状に配置されている請求項１ないし４のいずれか一記載のフラッドライト。
【請求項６】
隣り合って配列された前記光源ユニットは、前記ＬＥＤから放射される光の方向に沿って前後にずらして配列され、及び、前記取付曲面体の長手方向に沿った縁部を重ね合わせて配列されている請求項１ないし５のいずれか一記載のフラッドライト。
【請求項７】
複数個の前記光源ユニットを、これらの光源ユニットの配列方向に沿った同じ方向へ回動させる照明方向調節機構が設けられている請求項１ないし６のいずれか一記載のフラッドライト。
【請求項８】
複数個の前記光源ユニットを、これらの光源ユニットの配列方向に沿った方向の照明幅を広げる方向又は狭める方向へ回動させる照明幅調節機構が設けられている請求項１ないし６のいずれか一記載のフラッドライト。
【請求項９】
前記照明用開口が横一列に配列される向きに前記本体ケース同士を連結する連結手段が前記本体ケースに設けられている請求項１ないし８のいずれか一記載のフラッドライト。
【請求項１０】
前記連結手段は、電力供給手段を兼ねている請求項９記載のフラッドライト。
【発明の詳細な説明】
【０００１】
【発明の属する技術分野】
本発明は、テレビスタジオや舞台等において、所定の照明範囲、例えば、テレビキャスターの上半身部分を略均一に照明するフラッドライトに関する。
【０００２】
【従来の技術】
従来、フラッドライトの光源としては、ハロゲン電球や蛍光灯等のような、面光源が使用されている。
【０００３】
【発明が解決しようとする課題】
ハロゲン電球を使用したフラッドライトは発熱量が大きいという問題がある。さらに、電球切れにより照明演出への支障を生じることがある。
【０００４】
蛍光灯を使用したフラッドライトは、蛍光灯が大きくなるためにフラッドライトが大型化し、この大型化したフラッドライトを視聴者や観客から隠すために様々な工夫が必要になる。
【０００５】
さらに、ハロゲン電球や蛍光灯等の面光源を使用した場合には、被照明面の照度は一定であり、集光や拡散による照度調節を行えない。
【０００６】
本発明の目的は、発熱量の少ないフラッドライトを提供することである。
【０００７】
本発明の目的は、電球切れによる照明演出への支障が生じないフラッドライトを提供することである。
【０００８】
本発明の目的は、被照明面の照度を調節することができるフラッドライトを提供することである。
【０００９】
【課題を解決するための手段】
請求項１記載の発明のフラッドライトは、少なくとも一方向に曲率を有し、この曲率を有する方向に沿って細長い帯状に形成された取付面と、この取付面に等間隔で形成された複数個の取付穴とを備えた取付曲面体と；前記取付面の取付穴に差し込まれた剛性を有する一対の長尺状の給電端子を有し、各発光部分が前記取付面の曲率面上に等間隔で配置されている複数個のＬＥＤと；前記取付面に対向する細長い帯状に形成されて前記取付曲面体に連結され、前記ＬＥＤへ電力を供給するための基板と；この基板に形成され、前記ＬＥＤに設けられている前記一対の給電端子が前記基板の長手方向に直交する方向に並列して差し込まれる複数個の端子ランドと；を具備している光源ユニットと；前記取付曲面体の前記取付面がある曲率面上に位置する向きに配列させて複数個の前記光源ユニットを前記取付曲面体の長手方向と直交する方向に配列して収納する本体ケースと；前記本体ケースに形成され、前記ＬＥＤから放射された光が照明範囲に向けて進行することを許容する照明用開口と；を具備している。
【００１０】
ここで、「少なくとも一方向に曲率を有する」とは、一方向に曲率を有する場合と、互いに直交する２方向に曲率を有する場合とが含まれる。互いに直交する２方向に曲率を有する場合には、その２方向の曲率は同じ値でもよく、又は、異なる値でもよい。
【００１１】
ＬＥＤとしては、白色ＬＥＤのほか、赤色、緑色、青色の３原色ＬＥＤを使用することができる。３原色ＬＥＤを使用した場合には、各色のＬＥＤを点灯制御することにより、被照明面の色温度を切り替えることができる。
【００１２】
したがって、光源としてＬＥＤを使用することにより、発熱量が少なく、電球切れが発生しない光源ユニットとなる。
また、本体ケース内に収納された光源ユニットのＬＥＤから放射された光が照明用開口を通過して照明範囲に向けて進行し、このフラッドライトにより照明される照明範囲が略均一に照明される。この場合、取付曲面体は、曲率を有する方向に沿って細長い帯状に形成され、複数個のＬＥＤがその長手方向に沿って配置されているので、各ＬＥＤが狭指向性を有する場合でも、細長い帯状の照明範囲が略均一に照明される。そして、複数個の光源ユニットは、取付曲面体の長手方向と直交する方向に配列されているので、帯状の取付曲面体の長手方向と直交する方向の照明範囲を広げることができ、また、取付曲面体の取付面が曲率面上に位置する向きに配列されているので、帯状の取付曲面体の長手方向と直交する方向の照明範囲を略均一に照明することが実現される。
さらに、ＬＥＤを取付曲面体の取付穴に差し込み、そのＬＥＤに設けられている給電端子を基板に形成された端子ランドに差し込むことにより、取付穴と端子ランドとの位置関係によってＬＥＤの向きが規制され、ＬＥＤを所定の照明範囲を略均一に照明する方向に向けて配置する作業を、手間をかけず簡単に行える。
なお、給電端子は、剛性を有する。給電端子が剛性を有するとは、この給電端子がＬＥＤの発光部分に対して給電端子が向き不動に固定されていることを意味し、このような剛性を有する給電端子を端子ランドに差し込むだけで、ＬＥＤの向き（より正確には、ＬＥＤから放射される光の向き）が規制される。また、給電端子がフレキシブルな場合には、フレキシブルな給電端子を端子ランドに差し込んだ後にテンションを加えることにより、ＬＥＤの向き（より正確には、ＬＥＤから放射される光の向き）が規制される。
【００１３】
請求項２記載の発明は、請求項１記載のフラッドライトにおいて、前記取付面は凸面状に形成され、複数個の前記ＬＥＤから放射された光が、単一の光源から放射された光と同じように拡散される向きに前記ＬＥＤが配置されている。
【００１４】
したがって、各ＬＥＤが狭指向性を有する場合でも、所定の照明範囲の均一照明が実現される。
【００１５】
請求項３記載の発明は、請求項１記載のフラッドライトにおいて、前記取付面は凹面状に形成され、複数個の前記ＬＥＤから放射された光が一点で交叉した後に拡散される向きに前記ＬＥＤが配置されている。
【００１６】
したがって、各ＬＥＤが狭指向性を有する場合でも、所定の照明範囲の均一照明が実現される。
【００２０】
請求項４記載の発明は、請求項１ないし３のいずれか一記載のフラッドライトにおいて、前記基板と前記取付曲面体とが、これらの基板と取付曲面体との間隔を一定に維持するスペーサを間に挟んで連結されている。
【００２１】
したがって、基板と取付曲面体とを連結したときにこれらの基板と取付曲面体との間隔がばらつきを生ずることが防止される。このため、ＬＥＤを取付曲面体の取付穴に差し込み、そのＬＥＤに設けられている給電端子を基板に形成された端子ランドに差し込み、それによってＬＥＤを所定の照明範囲を略均一に照明する方向に向けて配置する作業を、精度よく行える。
【００３０】
請求項５記載の発明は、請求項１ないし４のいずれか一記載のフラッドライトにおいて、隣り合って配列された前記光源ユニットに設けられている前記ＬＥＤが千鳥格子状に配置されている。
【００３１】
したがって、照明範囲における照度分布の均一性が高くなる。
【００３２】
請求項６記載の発明は、請求項１ないし５のいずれか一記載のフラッドライトにおいて、隣り合って配列された前記光源ユニットは、前記ＬＥＤから放射される光の方向に沿って前後にずらして配列され、及び、前記取付曲面体の長手方向に沿った縁部を重ね合わせて配列されている。
【００３３】
したがって、取付曲面体の長手方向と直交する方向におけるＬＥＤの配置密度が高くなり、所定の照明範囲に対する照度アップを図ることができる。
【００３４】
請求項７記載の発明は、請求項１ないし６のいずれか一記載のフラッドライトにおいて、複数個の前記光源ユニットを、これらの光源ユニットの配列方向に沿った同じ方向へ回動させる照明方向調節機構が設けられている。
【００３５】
したがって、複数個の光源ユニットを照明方向調節機構を用いて回動させることにより、ＬＥＤから放射される光の向きを変えることができ、照明方向を可変することができる。
【００３６】
請求項８記載の発明は、請求項１ないし６のいずれか一記載のフラッドライトにおいて、複数個の前記光源ユニットを、これらの光源ユニットの配列方向に沿った方向の照明幅を広げる方向又は狭める方向へ回動させる照明幅調節機構が設けられている。
【００３７】
したがって、複数個の光源ユニットを照明幅調節機構を用いて回動させることにより、光源ユニットの配列方向に沿った方向の照明幅を広げ又は狭めることができ、照明幅の調節及びその照明範囲内の照度を調節することができる。
【００３８】
請求項９記載の発明は、請求項１ないし８のいずれか一記載のフラッドライトにおいて、前記照明用開口が横一列に配列される向きに前記本体ケース同士を連結する連結手段が前記本体ケースに設けられている。
【００３９】
したがって、二つ以上のフラッドライトを連結して使用することにより、照明範囲を広げることができる。
【００４０】
請求項１０記載の発明は、請求項９記載のフラッドライトにおいて、前記連結手段は、電力供給手段を兼ねている。
【００４１】
したがって、二つ以上のフラッドライトを連結して使用する場合に、個々のフラッドライトから電力供給用のコードが引き出されず、すっきりした外観を得ることができる。
【００４２】
【発明の実施の形態】
本発明の第１の実施の形態を図１ないし図８に基づいて説明する。図１はフラッドライトを示す斜視図、図２はその正面図、図３はその側面図、図４は横一列に連結された３個のフラッドライトを示す斜視図、図５は光源ユニットを示す斜視図、図６はスペーサを示す斜視図、図７は一つの光源ユニットにおけるＬＥＤの配列状態を示す正面図、図８は本体ケース内における光源ユニットの配列状態を示す側面図である。
【００４３】
本実施の形態のフラッドライトは、本体ケース１と、この本体ケース１内に収納された複数個の光源ユニット２とを備えている。
【００４４】
光源ユニット２は、取付曲面体３と、複数個のＬＥＤ４と、ＬＥＤ４への電力供給用の基板５とを備えている。
【００４５】
取付曲面体３は、一方向に曲率Ｒ１（図７参照）を有する凸面状の取付面６を有し、かつ、その曲率を有する方向に沿って細長い帯状に形成されている。取付曲面体３には、その長手方向に沿って複数個の取付穴７が等間隔で形成され、これらの取付穴７にＬＥＤ４が一つずつ差し込まれ、これにより、ＬＥＤ４（詳しくは、ＬＥＤ４の発光部分）が取付面６上に等間隔で配置されている。なお、一つの光源ユニット２に設けられている各ＬＥＤ４は、各ＬＥＤ４から放射された光が、単一の光源から放射された光と同じように拡散される向きに配置されている。
【００４６】
基板５は取付曲面体３にネジ止めして連結され、この基板５には複数個の端子ランド８が形成されている。これらの端子ランド８には、ＬＥＤ４に設けられている給電端子９が差し込まれ、ハンダ付けされている。給電端子９は剛性を有しており、この給電端子９はＬＥＤ４の発光部分に対して向き不動に固定されている。
【００４７】
ここで、取付曲面体３と基板５とを連結した状態における取付穴７と端子ランド８との位置関係は、取付穴７に差し込んだＬＥＤ４の給電端子９を端子ランド８に差し込んだとき、各ＬＥＤ４の向きが、各ＬＥＤ４から放射された光が単一の光源から放射された光と同じように拡散される向きとなるように規定されている。
【００４８】
また、取付曲面体３と基板５とは、これらの取付曲面体３と基板５との間隔を一定に維持するスペーサ１０を間に挟んで連結されている（図５、６参照）。
【００４９】
本体ケース１内に収納された複数個の光源ユニット２は、取付曲面体３の長手方向と直交する向きに配列されており、かつ、各光源ユニット２の取付面６が曲率Ｒ２を有する凸面状の曲率面上に位置する向きに配列されている（図８参照）。
【００５０】
本体ケース１内に収納されて隣り合って配列された光源ユニット２に設けられているＬＥＤ４は、千鳥格子状に配置されている（図１、２参照）。
【００５１】
本体ケース１の正面部分には、本体ケース１内に収納された複数の光源ユニット２の各ＬＥＤ４から放射された光が照明範囲に向けて進行することを許容する照明用開口１１が形成されている。この照明用開口１１には透明なガラス１１ａがはめ込まれている。
【００５２】
本体ケース１の一方の側面には連結用凹部１２が形成され、本体ケース１の他方の側面には連結用凸部（図示せず）が形成されている。そして、一つの本体ケース１の連結用凹部１２と他の本体ケース１の連結用凸部とが連結可能とされている。さらに、本体ケース１の一方の側面には丸穴状のピンジャック１４が設けられ、本体ケース１の他方の側面には円柱状のピンプラグ１５が設けられている。そして、一つの本体ケース１のピンジャック１４と他の本体ケース１のピンプラグ１５とが連結可能とされている。ピンプラグ１５をピンジャック１４に差し込んで二つの本体ケース１を連結したとき、二つの本体ケース１はピンプラグ１５の軸心周りに回動自在となり、ピンプラグ１５をピンジャック１４に差し込んで連結した後にピンプラグ１５の軸心周りに二つの本体ケース１を回動させることにより連結用凸部と連結用凹部１２とを連結することができ、二つの本体ケース１（又は、二つ以上のフラッドライト）を横一列に連結することができる（図４参照）。このような連結により、二つ以上の本体ケース１のそれぞれの照明用開口１１が横一列に配列される。ここで、連結用凹部１２と連結用凸部、及び、ピンジャック１４とピンプラグ１５とにより、本体ケース１同士を連結する連結手段１６が構成されている。これらの連結手段１６の一部であるピンジャック１４とピンプラグ１５とは、各フラッドライトへ電力を供給する電力供給手段１７を兼ねている。
【００５３】
本体ケース１の底面部には、支点（図示せず）の周りに任意の角度に回動させることができ、かつ、それぞれの回動位置で位置固定することが可能な角度調節板１８が設けられている（図３参照）。この角度調節板１８を任意の角度に回動させることにより、照明用開口１１の向きに任意の角度に調節することができる。
【００５４】
このような構成において、このフラッドライトで使用されている複数個のＬＥＤ４は、取付曲面体３の長手方向に沿った一方向ではＲ１の曲率面上に配置され（図７参照）、かつ、それと直交する方向ではＲ２の曲率面上に配置されている（図８参照）。このため、各ＬＥＤ４から放射された光が単一の光源から放射された光と同じように拡散され、面光源を使用した従来のフラッドライトと同じように、所定の照明範囲を略均一に照明することができる。
【００５５】
各ＬＥＤ４は、千鳥格子状に配置されているので、各ＬＥＤ４を正方形格子状又は長方形格子状に配置した場合に比べ、隣り合う各ＬＥＤ４間の間隔の長短の差が少なくなり、照明範囲における照度分布の均一性が高くなる。
【００５６】
また、このフラッドライトによれば、光源としてＬＥＤ４を用いているので、発熱量が少なく、ＬＥＤ４からの熱で光源ユニット２や本体ケース１が過熱されるということが起こらず、本体ケース１に触れた場合や、メンテナンス等のため光源ユニット２に触れた場合でも、火傷などの事故が発生しない。
【００５７】
さらに、ＬＥＤ４は従来のフラッドライトにおける電球切れという事故が起こらず、照明演出に対する支障が生じない。
【００５８】
また、図４に示すように二つ以上のフラッドライトを横一列に連結して使用することにより、照明範囲を広げることができる。そして、二つ以上のフラッドライトを連結手段で１６で連結したとき、これらの連結手段１６で連結されたフラッドライトは本体ケース１の側面同士を当接させた状態で連結されているので、隣り合うフラッドライトのＬＥＤ４を最も近接させた状態とすることができ、二つ以上のフラッドライトを使用した場合における照度分布の均一性を向上させることができる。
【００５９】
また、二つ以上のフラッドライトを連結したときに、ピンジャック１４とピンプラグ１５とから構成される電力供給手段１７が、二つ以上のフラッドライトを連結する連結手段１６の一部となっているので、個々のフラッドライトから電力供給用のコードが引き出されず、すっきりした外観を得ることができる。
【００６０】
つぎに、本発明の第２の実施の形態を図９及び図１０に基づいて説明する。なお、図１ないし図８において説明した部分と同じ部分は同じ符号で示し、説明も省略する（以下の実施の形態でも同じ）。図９は本体ケース内に収納された複数個の光源ユニットの配列状態を示す正面図、図１０はその側面図である。
【００６１】
本実施の形態では、本体ケース１（図１等参照）内に収納された複数個の光源ユニット２は、隣り合って配列された二つの光源ユニット２がＬＥＤ４から放射される光の方向に沿って前後にずらして配列され、及び、取付曲面体３の長手方向に沿った縁部を重ね合わせて配列されている。これにより、本実施の形態の光源ユニット２は、光源ユニット２の取付面６が曲率Ｒ２を有する曲率面上に位置するものと、光源ユニット２の取付面６が曲率Ｒ３を有する曲率面上に位置するものとが交互に配列されている。
【００６２】
さらに、第１の実施の形態と同じように、隣り合って配列された光源ユニット２におけるＬＥＤ４が千鳥格子状に配置されている。
【００６３】
このような構成において、本実施の形態のフラッドライトにおいては、取付曲面体３の長手方向と直交する方向（光源ユニット２の配列方向と同じ方向）におけるＬＥＤ４の配置密度が高くなり、所定の照明範囲に対する照度アップを図ることができる。
【００６４】
しかも、取付曲面体３の長手方向と直交する方向におけるＬＥＤ４の配置密度を高くしても、これは、取付曲面体３における長手方向と直交する方向の幅寸法を狭くしたものではなく、取付曲面体３における長手方向と直交する方向の幅寸法を十分に確保することができる。このため、各光源ユニット２の強度を十分に維持することができる。
【００６５】
つぎに、本発明の第３の実施の形態を図１１及び図１２に基づいて説明する。図１１は、本体ケース内に収納された複数個の光源ユニットを示す斜視図、図１２は照明方向調節機構による照明方向の調節について説明する側面図であり、（ａ）は下向きに調節した状態、（ｂ）は中間向きに調節した状態、（ｃ）は上向きに調節した状態を示すものである。
【００６６】
各光源ユニット２の長手方向の両端側には回動支点穴１９とピン２０とが形成されている。本体ケース１内に収納された各光源ユニット２は、本体ケース１に形成されている突起（図示せず）を回動支点穴１９に嵌合させることによりその回動支点穴１９（又は、突起）を中心として回動自在とされている。
【００６７】
さらに、本体ケース１内には、支点軸２１を中心として回動自在、かつ、それぞれの回動位置で位置固定させることが可能な扇形の角度調節板２２が光源ユニット２の長手方向の両端側に設けられている（図１１では、片側のみを図示）。これらの角度調節板２２には複数個の長穴２３が形成され、これらの長穴２３に光源ユニット２のピン２０が挿入されている。そして、これらの角度調節板２２、光源ユニット２に形成された回動支点穴１９とピン２０、本体ケース１に形成されて回動支点穴１９に嵌合される突起等により、各光源ユニット２を、これらの光源ユニット２の配列方向に沿った同じ方向へ回動させる照明方向調節機構２４が形成されている。
【００６８】
このような構成において、角度調節板２２の円弧状部分の一部は本体ケース１の外部に露出しており、その露出している円弧状部分に指をかけて力を加えることにより、角度調節板２２を支点軸２１の周りに回動させることができる。
【００６９】
角度調節板２２を支点軸２１の周りに下方向へ回動させると（図１２（ａ）参照）、角度調節板２２の回動に伴って長穴２３の縁部がその長穴２３に挿入されているピン２０に上方から押し付けられ、その力の作用により各光源ユニット２がそれぞれの回動支点穴１９を中心として下向き方向へ回動し、各ＬＥＤ４から放射される光の向き、即ち、フラッドライトの照明方向が下向きとなる。
【００７０】
また、角度調節板２２を支点軸２１の周りに上方向へ回動させると（図１２（ｃ）参照）、角度調節板２２の回動に伴って長穴２３の縁部がその長穴２３に挿入されているピン２０に下方から押し付けられ、その力の作用により各光源ユニット２がそれぞれの回動支点穴１９を中心として上向き方向へ回動し、各ＬＥＤ４から放射される光の向き、即ち、フラッドライトの照明方向が上向きとなる。
【００７１】
このような照明方向調節機構２４を設けることにより、ＬＥＤ４から放射される光の向きを簡単に変えることができ、照明方向を可変することができる。しかも、この照明方向調節機構２４による照明方向の調節を無段階に行うことができ、微妙な照明方向の角度調節を行うことができる。
【００７２】
つぎに、本発明の第４の実施の形態を図１３に基づいて説明する。図１３は照明幅調節機構による照明幅の調節について説明する側面図であり、（ａ）は照明幅を広く調節した拡散状態、（ｂ）は照明幅を狭く調節した集光状態を示すものである。
【００７３】
本実施の形態では、本体ケース１内には複数個の光源ユニット２、２ａが収納され、それらの光源ユニット２、２ａのうち、略中央に位置する一つの光源ユニット２ａには他の光源ユニット２の構造と異なる部分がある。他の光源ユニット２は第３の実施の形態で説明したものと同じ構造であり、長手方向の両端側に、回動支点穴１９とピン２０とが形成され、突起が嵌合された回動支点穴１９を中心として回動自在とされている。
【００７４】
略中央に位置する一つの光源ユニット２ａは、長手方向の両端側に回動支点穴１９に代えてピン２０ａが設けられている点が他の光源ユニット２の構造と異なり、このピン２０ａが、本体ケース１に形成されて支点軸２１からの放射方向に長い長穴（図示せず）に挿入されている。これにより、この光源ユニット２ａは、その長穴にそって支点軸２１から接離する方向へ摺動自在とされている。
【００７５】
さらに、本体ケース１内には、支点軸２１を中心として回動自在、かつ、それぞれ回動位置で位置固定させることが可能な第１角度調節板２５と第２角度調節板２６とが光源ユニット２、２ａの長手方向の両端側に設けられている。第１角度調節板２５には複数個の長穴２５ａ、２５ｂが形成され、第２角度調節板２６には複数個の長穴２６ａ、２６ｂが形成されている。長穴２５ｂ、２６ｂには、光源ユニット２のピン２０が挿入され、長穴２５ａ、２６ａには光源ユニット２ａのピン２０が挿入されている。そして、これらの第１・第２角度調節板２５、２６、光源ユニット２に形成された回動支点穴１９とピン２０、光源ユニット２ａに形成されたピン２０、２０ａ、本体ケース１に形成されて回動支点穴１９に嵌合される突起、本体ケースに形成されてピン２０ａが挿入される長穴等により、各光源ユニット２を、これらの光源ユニット２の配列方向に沿った方向の照明幅を広げる方向又は狭める方向へ回動させる照明幅調節機構２７が形成されている。
【００７６】
このような構成において、図１３（ａ）は照明幅を広く調節した拡散状態を示している。この拡散状態から、本体ケース１の外部に露出している第１角度調節板２５の円弧状部分に指をかけて力を加えることにより、第１角度調節板２５を支点軸２１の周りに矢印Ａ方向へ回動させることができる。
【００７７】
第１角度調節板２５を支点軸２１の周りに矢印Ａ方向へ回動させると、その回動に伴って長穴２５ａの縁部がピン２０に下方から押し付けられ、その力の作用により光源ユニット２ａは矢印Ｂ方向へ摺動する。さらに、光源ユニット２ａが矢印Ｂ方向へ摺動することにより、ピン２０が長穴２６ａの縁部に押し付けられ、その力の作用により第２角度調節板２６が支点軸２１の周りに矢印Ｃ方向へ回動し、フラッドライトは図１３（ｂ）に示す照明幅を狭く調節した集光状態となる。
【００７８】
なお、フラッドライトの照明状態を拡散状態から集光状態へ切り替えた場合において、第１角度調節板２５が矢印Ａ方向へ回動することに伴い、光源ユニット２ａより下側に位置する光源ユニット２は、長穴２５ｂの縁部がその長穴２５ｂに挿入されているピン２０に下方から押し付けられることによりそれぞれの回動支点穴１９を中心として上向き方向へ回動し、各ＬＥＤ４から放射される光の向きが上向きとなる。
【００７９】
一方、第２角度調節板２６が矢印Ｃ方向へ回動することに伴い、光源ユニット２ａより上側に位置する光源ユニット２は、長穴２６ｂの縁部がその長穴２６ｂに挿入されているピン２０に上方から押し付けられることによりそれぞれの回動支点穴１９を中心として下向き方向へ回動し、各ＬＥＤ４から放射される光の向きが下向きとなる。
【００８０】
図１３（ｂ）に示した照明幅を狭く調節した集光状態から図１３（ａ）に示した照明幅を広く調節した拡散状態に切り替える場合には、図１３（ｂ）に示す状態から第１角度調節板２５を支点軸２１の周りに矢印ａ方向へ回動させる。すると、上述した集光状態へ切り替える場合とは逆に、光源ユニット２ａが矢印ｂ方向へ摺動し、第２角度調節板２６が支点軸２１の周りに矢印ｃ方向へ回動し、図１３（ａ）の拡散状態に切り替わる。このとき、光源ユニット２ａより下側に位置する光源ユニット２は回動支点穴１９を中心として下向き方向へ回動し、光源ユニット２ａより上側に位置する光源ユニット２は回動支点穴１９を中心として上向き方向へ回動する。
【００８１】
このような照明幅調節機構２７を設けることにより、光源ユニット２、２ａの配列方向に沿った方向の照明幅を広げ又は狭めることができ、照明幅の調節及びその照明範囲内の照度を調節することができる。しかも、この照明幅調節機構２７による照明幅や照度の調節を無段階に行うことができ、微妙な調節を行うことができる。
【００８２】
つぎに、本発明の第５の実施の形態を図１４及び図１５に基づいて説明する。図１４は一つの光源ユニットにおけるＬＥＤの配列状態を示す正面図、図１５は本体ケース内における光源ユニットの配列状態を示す側面図である。
【００８３】
本実施の形態のフラッドライトは、他の実施の形態のフラッドライトと同じように複数の光源ユニット２８が本体ケース１（図１等参照）内に収納されており、この光源ユニット２８は、取付曲面体２９と、複数個のＬＥＤ４と、ＬＥＤ４への電力供給用の基板５（図５参照）とを備えている。
【００８４】
取付曲面体２９は、一方向に曲率Ｒ１（図１４参照）を有する凹面状の取付面３０を有し、かつ、その曲率を有する方向に沿って細長い帯状に形成されている。取付曲面体２９には、その長手方向に沿って複数個の取付穴７が等間隔で形成され、これらの取付穴７にＬＥＤ４が一つずつ差し込まれ、これにより、ＬＥＤ４（詳しくは、ＬＥＤ４の発光部分）が取付面３０上に等間隔で配置されている。なお、一つの光源ユニット２８に設けられている各ＬＥＤ４は、各ＬＥＤ４から放射された光が一点で交叉した後に拡散される向きに配置されている。
【００８５】
さらに、本体ケース１内に収納された複数個の光源ユニット２８は、取付曲面体２９の長手方向と直交する向きに配列されており、かつ、各光源ユニット２８の取付面３０が曲率Ｒ２を有する凹面状の曲率面上に位置する向きに配列されている（図１５参照）。
【００８６】
このような構成において、このフラッドライトで使用されている複数個のＬＥＤ４は、取付曲面体２９の長手方向に沿った一方向ではＲ１の曲率面上に配置され、かつ、それと直交する方向ではＲ２の曲率面上に配置されている。このため、各ＬＥＤ４から放射された光が単一の光源から放射された光と同じように拡散されるので、面光源を使用した従来のフラッドライトと同じように、所定の照明範囲を略均一に照明することができる。
【００８７】
なお、上述した各実施の形態では、各光源ユニット２、２ａ、２８の取付曲面体３、２９を細長い帯状に形成し、複数個の光源ユニット２、２ａ、２８を本体ケース１内に収納した場合を例に挙げて説明したが、縦横にそれぞれ複数列のＬＥＤが配列された一つの光源ユニットを本体ケース内に収納する構造としてもよい。
【００８８】
【発明の効果】
請求項１記載の発明のフラッドライトによれば、光源としてＬＥＤを使用することにより、発熱量が少なく、電球切れが発生しない光源ユニットを得ることができる。また、本体ケース内に収納された光源ユニットのＬＥＤから放射された光が照明用開口を通過して照明範囲に向けて進行し、このフラッドライトにより照明される照明範囲を略均一に照明できる。また、取付曲面体は、曲率を有する方向に沿って細長い帯状に形成され、複数個のＬＥＤがその長手方向に沿って配置されているので、各ＬＥＤが狭指向性を有する場合でも、細長い帯状の照明範囲が略均一に照明できる。また、複数個の光源ユニットは取付曲面体の長手方向と直交する方向に配列されているので、帯状の取付曲面体の長手方向と直交する方向の照明範囲を広げることができる。また、複数個の光源ユニットは、取付曲面体の取付面が曲率面上に位置する向きに配列されているので、帯状の取付曲面体の長手方向と直交する方向の照明範囲を略均一に照明できる。さらに、ＬＥＤを取付曲面体の取付穴に差し込み、そのＬＥＤに設けられている給電端子を基板に形成された端子ランドに差し込むことにより、取付穴と端子ランドとの位置関係によってＬＥＤの向きを規制でき、ＬＥＤを所定の照明範囲を略均一に照明する方向に向けて配置する作業を、手間をかけず簡単に行える。
【００８９】
請求項２記載の発明によれば、請求項１記載のフラッドライトにおいて、前記取付面は凸面状に形成され、複数個の前記ＬＥＤから放射された光が、単一の光源から放射された光と同じように拡散される向きに前記ＬＥＤが配置されているので、各ＬＥＤが狭指向性を有する場合でも、所定の照明範囲の均一照明を実現できる。
【００９０】
請求項３記載の発明によれば、請求項１記載のフラッドライトにおいて、前記取付面は凹面状に形成され、複数個の前記ＬＥＤから放射された光が一点で交叉した後に拡散される向きに前記ＬＥＤが配置されているので、各ＬＥＤが狭指向性を有する場合でも、所定の照明範囲の均一照明を実現できる。
【００９２】
請求項４記載の発明によれば、請求項１ないし３のいずれか一記載の光源ユニットにおいて、前記基板と前記取付曲面体とが、これらの基板と取付曲面体との間隔を一定に維持するスペーサを間に挟んで連結されているので、基板と取付曲面体とを連結したときにこれらの基板と取付曲面体との間隔がばらつきを生ずることを防止でき、このため、ＬＥＤを取付曲面体の取付穴に差し込み、そのＬＥＤに設けられている給電端子を基板に形成された端子ランドに差し込み、それによってＬＥＤを所定の照明範囲を略均一に照明する方向に向けて配置する作業を、精度よく行える。
【００９７】
請求項５記載の発明によれば、請求項１ないし４のいずれか一記載のフラッドライトにおいて、隣り合って配列された前記光源ユニットに設けられている前記ＬＥＤが千鳥格子状に配置されているので、照明範囲における照度分布の均一性を高くすることができる。
【００９８】
請求項６記載の発明によれば、請求項１ないし５のいずれか一記載のフラッドライトにおいて、隣り合って配列された前記光源ユニットは、前記ＬＥＤから放射される光の方向に沿って前後にずらして配列され、及び、前記取付曲面体の長手方向に沿った縁部を重ね合わせて配列されているので、取付曲面体の長手方向と直交する方向におけるＬＥＤの配置密度が高くなり、所定の照明範囲に対する照度アップを図ることができる。
【００９９】
請求項７記載の発明によれば、請求項１ないし６のいずれか一記載のフラッドライトにおいて、複数個の前記光源ユニットを、これらの光源ユニットの配列方向に沿った同じ方向へ回動させる照明方向調節機構が設けられているので、複数個の光源ユニットを照明方向調節機構を用いて回動させることにより、ＬＥＤから放射される光の向きを変えることができ、照明方向を可変することができる。
【０１００】
請求項８記載の発明によれば、請求項１ないし６のいずれか一記載のフラッドライトにおいて、複数個の前記光源ユニットを、これらの光源ユニットの配列方向に沿った方向の照明幅を広げる方向又は狭める方向へ回動させる照明幅調節機構が設けられているので、複数個の光源ユニットを照明幅調節機構を用いて回動させることにより、光源ユニットの配列方向に沿った方向の照明幅を広げ又は狭めることができ、照明幅の調節及びその照明範囲内の照度を調節することができる。
【０１０１】
請求項９記載の発明によれば、請求項１ないし８のいずれか一記載のフラッドライトにおいて、前記照明用開口が横一列に配列される向きに前記本体ケース同士を連結する連結手段が前記本体ケースに設けられているので、二つ以上のフラッドライトを連結して使用することにより、照明範囲を広げることができる。
【０１０２】
請求項１０記載の発明によれば、請求項９記載のフラッドライトにおいて、前記連結手段は、電力供給手段を兼ねているので、二つ以上のフラッドライトを連結して使用する場合に、個々のフラッドライトから電力供給用のコードが引き出されず、すっきりした外観を得ることができる。
【図面の簡単な説明】
【図１】本発明の第１の実施の形態のフラッドライトを示す斜視図である。
【図２】その正面図である。
【図３】その側面図である。
【図４】横一列に連結された３個のフラッドライトを示す斜視図である。
【図５】光源ユニットを示す斜視図である。
【図６】スペーサを示す斜視図である。
【図７】一つの光源ユニットにおけるＬＥＤの配列状態を示す正面図である。
【図８】本体ケース内における光源ユニットの配列状態を示す側面図である。
【図９】本発明の第２の実施の形態のフラッドライトにおける本体ケース内に収納された複数個の光源ユニットの配列状態を示す正面図である。
【図１０】その側面図である。
【図１１】本発明の第３の実施の形態のフラッドライトにおける、本体ケース内に収納された複数個の光源ユニットを示す斜視図である。
【図１２】照明方向調節機構による照明方向の調節について説明する側面図であり、（ａ）は下向きに調節した状態、（ｂ）は中間向きに調節した状態、（ｃ）は上向きに調節した状態を示した側面図である。
【図１３】本発明の第４の実施の形態のフラッドライトに設けられた照明幅調節機構による照明幅の調節について説明する側面図であり、（ａ）は照明幅を広く調節した拡散状態、（ｂ）は照明幅を狭く調節した集光状態を示す側面図である。
【図１４】本発明の第５の実施の形態のフラッドライトで使用される光源ユニットにおけるＬＥＤの配列状態を示す正面図である。
【図１５】本体ケース内における光源ユニットの配列状態を示す側面図である。
【符号の説明】
１：本体ケース、２：光源ユニット、２ａ：光源ユニット、３：取付曲面体、４：ＬＥＤ、５：基板、６：取付面、７：取付穴、８：端子ランド、９：給電端子、１０：スペーサ、１１：照明用開口、１６：連結手段、１７：電力供給手段、２４：照明方向調節機構、２７：照明幅調節機構、２８：光源ユニット、３０：取付面
【図１】
0004203553.tif 000002
【図２】
0004203553.tif 000003
【図３】
0004203553.tif 000004
【図４】
0004203553.tif 000005
【図５】
0004203553.tif 000006
【図６】
0004203553.tif 000007
【図７】
0004203553.tif 000008
【図８】
0004203553.tif 000009
【図９】
0004203553.tif 000010
【図１０】
0004203553.tif 000011
【図１１】
0004203553.tif 000012
【図１２】
0004203553.tif 000013
【図１３】
0004203553.tif 000014
【図１４】
0004203553.tif 000015
【図１５】
0004203553.tif 000016